(57)【要約】      （修正有）【課題】アンギュラコネクティングロッドにより調節ロッドの装着角度を調節することで、調節コネクティングロッドは環境の違いに応じて迅速な調整及び装着を実現可能となり、装着時の作業効率が向上する角度調節コネクティングロッドを提供する。【解決手段】調節ロッド１とアンギュラコネクティングロッド２を含み、調節ロッドは、調節部１１、第１可動ロッド１２及び第２可動ロッド１３を含み、第１可動ロッドは順方向ネジを介して調節部の一端に接続され、第２可動ロッドは逆方向ネジを介して調節部の他端に接続されている角度調節コネクティングロッドである。調節部の回動によって順方向ネジと逆方向ネジの接続長さを制御し、調節部内における第１可動ロッド及び第２可動ロッドの昇降を制御することで、調節ロッド全体の昇降が実現される。【選択図】図１
0003219039.tif 000002
【実用新案登録請求の範囲】
【請求項１】
調節ロッドを含む角度調節コネクティングロッドにおいて、
更に、アンギュラコネクティングロッドを含み、前記調節ロッドは、調節部、第１可動ロッド及び第２可動ロッドを含み、前記第１可動ロッドは順方向ネジを介して調節部の一端に接続されており、前記第２可動ロッドは逆方向ネジを介して調節部の他端に接続されており、前記アンギュラコネクティングロッドは方向転換ヘッドと中継プレートを含み、前記方向転換ヘッドは中継プレートを介して第１可動ロッド又は第２可動ロッドに対し動作可能に接続されていることを特徴とする角度調節コネクティングロッド。
【請求項２】
前記調節部は中空構造を備える管体を含み、前記管体の一端には順方向ネジ孔が設けられており、前記第１可動ロッドには順方向ネジ孔に係合される順方向ネジが設けられており、前記管体の他端には逆方向ネジ孔が設けられており、前記第２可動ロッドには逆方向ネジ孔に係合される逆方向ネジが設けられていることを特徴とする請求項１に記載の角度調節コネクティングロッド。
【請求項３】
前記調節部は管体の回転を容易とするナットを更に含み、前記ナットは管体と一体成型されていることを特徴とする請求項２に記載の角度調節コネクティングロッド。
【請求項４】
前記方向転換ヘッドは中継プレートを介して第１可動ロッドに対し動作可能に接続されており、前記方向転換ヘッドは、ボルト部材により中継プレートに対し回動可能に接続されていることを特徴とする請求項１に記載の角度調節コネクティングロッド。
【請求項５】
前記方向転換ヘッドには位置規制溝が設けられており、前記中継プレートの一端は位置規制溝内に設けられていることを特徴とする請求項４に記載の角度調節コネクティングロッド。
【請求項６】
前記アンギュラコネクティングロッドは更にＤ型シャックルを含み、前記中継プレートには、Ｄ型シャックルを動作可能とする線状孔が設けられており、前記第１可動ロッドにはＤ型シャックルに接続される接続リングが設けられていることを特徴とする請求項４に記載の角度調節コネクティングロッド。
【請求項７】
前記接続リングと第１可動ロッドは一体型構造であることを特徴とする請求項６に記載の角度調節コネクティングロッド。
【考案の詳細な説明】
【技術分野】
【０００１】
本考案は、角度調節コネクティングロッドに関する。
【背景技術】
【０００２】
調節コネクティングロッドは、従来の配電線路内の電柱において、フープと腕金を接続する役割を果たしている。従来の調節コネクティングロッドは固定端と可動端を含み、可動端により調節コネクティングロッドの長さ調節を実現する。しかし、僻地では環境の影響を受けて電柱周辺の装着環境が左右されやすい。また、従来の調節コネクティングロッドの場合には、調節時に調節コネクティングロッドの長さ方向しか調節できず、調節コネクティングロッドとフープとの角度調節は実現不可能である。そのため、装着時に別の部品を追加する必要があり、装着作業の強度や作業量が増加するとともに、作業効率が低下してしまう。また、フープと腕金の装着は高所での作業となるため、装着時の安全性が低下する。
【考案の概要】
【考案が解決しようとする課題】
【０００３】
本考案は、従来の調節コネクティングロッドでは電柱への装着過程において作業強度が大きくなるとの技術的課題が解決される角度調節コネクティングロッドを提供することを解決すべき技術的課題とする。
【課題を解決するための手段】
【０００４】
上記の技術的課題を解決すべく、以下の技術方案により本考案を実現する。
【０００５】
角度調節コネクティングロッドであって、調節ロッドとアンギュラコネクティングロッドを含み、前記調節ロッドは、調節部、第１可動ロッド及び第２可動ロッドを含み、前記第１可動ロッドは順方向ネジを介して調節部の一端に接続されており、前記第２可動ロッドは逆方向ネジを介して調節部の他端に接続されており、前記アンギュラコネクティングロッドは方向転換ヘッドと中継プレートを含み、前記方向転換ヘッドは中継プレートを介して第１可動ロッド又は第２可動ロッドに対し動作可能に接続されている。
【０００６】
好ましくは、前記調節部は中空構造を備える管体を含み、前記管体の一端には順方向ネジ孔が設けられており、前記第１可動ロッドには順方向ネジ孔に係合される順方向ネジが設けられており、前記管体の他端には逆方向ネジ孔が設けられており、前記第２可動ロッドには逆方向ネジ孔に係合される逆方向ネジが設けられている。
【０００７】
好ましくは、前記調節部は、管体の回転を容易とするナットを更に含み、前記ナットは管体と一体成型されている。
【０００８】
好ましくは、前記方向転換ヘッドは中継プレートを介して第１可動ロッドに対し動作可能に接続されており、前記方向転換ヘッドは、ボルト部材により中継プレートに対し回動可能に接続されている。
【０００９】
好ましくは、前記方向転換ヘッドには位置規制溝が設けられており、前記中継プレートの一端は位置規制溝内に設けられている。
【００１０】
好ましくは、前記アンギュラコネクティングロッドは、更にＤ型シャックルを含み、前記中継プレートには、Ｄ型シャックルを動作可能とする線状孔が設けられており、前記第１可動ロッドにはＤ型シャックルに接続される接続リングが設けられている。
【００１１】
好ましくは、前記接続リングと第１可動ロッドは一体型構造である。
【考案の効果】
【００１２】
以上述べたように、本考案は次のような利点を有する。
【００１３】
１．調節ロッドを、調節部、第１可動ロッド及び第２可動ロッドとして設けており、且つ、順方向ネジと逆方向ネジによって調節部に対する第１可動ロッド及び第２可動ロッドの接続を実現している。また、調節部の回動によって順方向ネジと逆方向ネジの接続長さを制御することで、調節部内における第１可動ロッド及び第２可動ロッドの昇降を制御する。これにより、調節ロッド全体の昇降が実現されため、調節が容易となり、高感度となる。また、順方向ネジと逆方向ネジの接続による装着は確実であり、且つ、第１可動ロッドと第２可動ロッドの動作を同期させられるため、調節効率を向上可能となる。また、第１可動ロッド又は第２可動ロッドにアンギュラコネクティングロッドが設けられており、アンギュラコネクティングロッドによって第１可動ロッド又は第２可動ロッドの装着角度が調節されるため、全体としての装着の柔軟性が向上する。これにより、調節コネクティングロッドは、環境の違いによって迅速な調整及び装着を実現可能となり、装着効率が向上するとともに、作業の安全性も高まる。また、アンギュラコネクティングロッドを方向転換ヘッド及び中継プレートとして設けているため、着脱が容易となり、確実に接続される。
【００１４】
２．順方向ネジ孔内における順方向ネジの回動方向によって管体上での第１可動ロッドの昇降を実現するとともに、逆方向ネジ孔内における逆方向ネジの回動方向によって管体上での第２可動ロッドの昇降を実現することで、調節ロッドの全長調節時における安定性を実現可能である。且つ、ネジによる接続は確実であり、着脱が容易である。
【００１５】
３．ナットが設けられているため、操作者は管体を回転させやすくなり、操作時の利便性が向上する。且つ、ナットを管体と一体成型されるよう設けているため、ナットと管体との接続強度を向上可能となり、使用過程でのナットの脱落や緩みが回避される。したがって、操作時の安全性が向上するとともに、ナットの装着手順が簡略化される。
【００１６】
４．ボルト部材によって方向転換ヘッドと中継プレートの迅速な接続を実現可能なことから、着脱が容易となる。且つ、方向転換ヘッドは中継プレートを介して第１可動ロッドに対し動作可能に接続されており、第１可動ロッドと方向転換ヘッドとの角度を変化させることで調節ロッド全体を調節する際の角度が調整されることから、調節ロッド全体を調節する際の安定性にとって有利となる。
【００１７】
５．位置規制溝が設けられているため、方向転換ヘッドにおける中継プレートの可動角度を効果的に規制可能となり、全体の使用時における安全性が向上するほか、全体的な使用寿命を延長可能となる。
【００１８】
６．Ｄ型シャックルを設けることで、第１可動ロッドと中継プレートとの接続を実現可能であるとともに、中継プレートに設けられる線状孔によってＤ型シャックルの動作が実現される。第１可動ロッドの昇降時には、これに伴ってＤ型シャックルを中継プレート上で動作させられることから、第１可動ロッドと中継プレートの角度調整を実現可能である。よって、調節が容易になるとともに、接続が確実となる。且つ、接続リングを設けることで、第１可動ロッドとＤ型シャックルの迅速な装着を実現可能となる。これにより、着脱が容易になるとともに、使用効果が良好となる。
【００１９】
７．接続リングと第１可動ロッドを一体型構造となるよう設けているため、全体強度を向上可能であるとともに、接続リングの装着手順が簡略化される。また、使用時における接続リングと第１可動ロッドとの分離が防止されることから、安全性が向上する。
【００２０】
以下に、図面を組み合わせて本考案につき更に説明する。
【図面の簡単な説明】
【００２１】
【図１】図１は、本考案における角度調節コネクティングロッドの構造を示す図である。
【図２】図２は、本考案における調節部の構造を示す図である。
【図３】図３は、本考案におけるアンギュラコネクティングロッドの構造を示す図である。
【考案を実施するための形態】
【００２２】
図１、図２、図３に示すように、角度調節コネクティングロッドは調節ロッド１とアンギュラコネクティングロッド２を含む。また、前記調節ロッド１は、調節部１１、第１可動ロッド１２及び第２可動ロッド１３を含む。前記第１可動ロッド１２は、順方向ネジを介して調節部１１の一端に接続されており、前記第２可動ロッド１３は、逆方向ネジを介して調節部１１の他端に接続されている。前記アンギュラコネクティングロッド２は、方向転換ヘッド２１と中継プレート２２を含み、前記方向転換ヘッド２１は中継プレート２２を介して第１可動ロッド１２又は第２可動ロッド１３に対し動作可能に接続されている。使用時には、調節部１１の回動方向によって順方向ネジと逆方向ネジの接続長さを調整することで、調節部１１内における第１可動ロッド１２及び第２可動ロッド１３の昇降を制御する。これにより、調節ロッド１全体の昇降が実現されるため、調節が容易となり、高感度となる。また、順方向ネジと逆方向ネジの接続による装着は確実であり、且つ、第１可動ロッド１２と第２可動ロッド１３の動作を同期させられるため、調節効率を向上可能である。また、第１可動ロッド１２又は第２可動ロッド１３にアンギュラコネクティングロッド２が設けられており、アンギュラコネクティングロッドによって第１可動ロッド又は第２可動ロッドの装着角度が調節されるため、全体としての装着の柔軟性が向上する。これにより、調節コネクティングロッドは、環境の違いによって迅速な調整及び装着を実現可能となり、装着効率が向上するとともに、作業の安全性も高まる。また、アンギュラコネクティングロッドを方向転換ヘッド及び中継プレートとして設けているため、着脱が容易となり、確実に接続される。
【００２３】
前記調節部１１は、中空構造を備える管体を含む。前記管体の一端には順方向ネジ孔１４が設けられており、前記第１可動ロッド１２には順方向ネジ孔１４に係合される順方向ネジが設けられている。また、前記管体の他端には逆方向ネジ孔１５が設けられており、前記第２可動ロッド１３には逆方向ネジ孔１５に係合される逆方向ネジが設けられている。順方向ネジ孔１４内における順方向ネジの回動方向によって管体上での第１可動ロッド１２の昇降を実現するとともに、逆方向ネジ孔１５内における逆方向ネジの回動方向によって管体上での第２可動ロッド１３の昇降を実現することで、調節ロッド１の全長調節時における安定性を実現可能である。且つ、ネジによる接続は確実であり、着脱が容易である。
【００２４】
前記調節部１１は、管体の回転を容易とするナット１６を更に含む。前記ナット１６は管体と一体成型されている。これにより、操作者は管体を回転させやすくなるため、操作時の利便性が向上する。且つ、ナット１６を管体と一体成型されるよう設けているため、ナット１６と管体との接続強度を向上可能となり、使用過程でのナット１６の脱落や緩みが回避される。したがって、操作時の安全性が向上するとともに、ナット１６の装着手順が簡略化される。使用時において、操作者はスパナ又はその他の作業工具を用いてナット１６を回動させ、管体を正回転又は逆回転させるだけで、管体における第１可動ロッド１２及び第２可動ロッド１３の昇降運動を制御できる。よって、調節ロッド１の長さ調整が迅速に実現される。
【００２５】
前記方向転換ヘッド２１は中継プレート２２を介して第１可動ロッド１２に対し動作可能に接続されている。且つ、前記方向転換ヘッド２１は、ボルト部材２３により中継プレート２２に対し回動可能に接続されている。ボルト部材２３によって方向転換ヘッド２１と中継プレート２２の迅速な接続を実現可能なことから、着脱が容易となる。且つ、方向転換ヘッド２１は中継プレート２２を介して第１可動ロッド１２に対し動作可能に接続されており、角度を変化させることで調節ロッド全体を調節する際の角度が調整されることから、調節ロッド全体を調節する際の安定性にとって有利となる。前記方向転換ヘッド２１には位置規制溝２４が設けられており、前記中継プレートの一端が位置規制溝２４内に設けられている。そのため、方向転換ヘッド２１における中継プレートの可動角度を効果的に規制可能となり、全体の使用時における安全性が向上するほか、全体的な使用寿命を延長可能となる。
【００２６】
前記アンギュラコネクティングロッド２は更にＤ型シャックル２５を含む。前記中継プレート２２には、Ｄ型シャックル２５を動作可能とする線状孔２６が設けられており、前記第１可動ロッド１２にはＤ型シャックル２５に接続される接続リング１７が設けられている。これにより、第１可動ロッド１２と中継プレート２２との接続を実現可能であるとともに、中継プレート２２に設けられる線状孔２６によってＤ型シャックル２５の動作が実現される。第１可動ロッド１２の昇降時には、これに伴ってＤ型シャックル２５を中継プレート２２上で動作させられることから、第１可動ロッド１２と中継プレート２２の角度調整を実現可能である。よって、調節が容易になるとともに、接続が確実となる。且つ、接続リング１７を設けることで、第１可動ロッド１２とＤ型シャックル２５の迅速な装着を実現可能となる。これにより、着脱が容易になるとともに、使用効果が良好となる。前記接続リング１７と第１可動ロッド１２は一体型構造であるため、全体強度が向上するとともに、接続リング１７の装着手順が簡略化される。また、使用時における接続リング１７と第１可動ロッド１２との分離が防止されることから、安全性が向上する。装着の利便性のために、本実施例の第２可動ロッドにも一体成型された別の接続リングが設けられている。これにより、アンギュラコネクティングロッドの迅速な装着を実現可能であるとともに、腕金との接続を迅速に実現可能となる。
【００２７】
上記の好ましい実施例だけでなく、本考案にはその他の実施形態も存在する。当業者は本考案を元に各種の変更及び変形を実施可能であり、本考案の精神を逸脱しない限り、いずれも本考案に添付の請求の範囲に属する。
【符号の説明】
【００２８】
１  調節ロッド
１１  調節部
１２  第１可動ロッド
１３  第２可動ロッド
１４  順方向ネジ孔
１５  逆方向ネジ孔
１６  ナット
１７  接続リング
２  アンギュラコネクティングロッド
２１  方向転換ヘッド
２２  中継プレート
２３  ボルト部材
２４  位置規制溝
２５  Ｄ型シャックル
２６  線状孔
【図１】
0003219039.tif 000003
【図２】
0003219039.tif 000004
【図３】
0003219039.tif 000005